(57)【要約】【課題】省電力モードへ移行した直後に復帰する無駄な省電力モードへの移行が減り、省電力効率を向上させることができ、また、無駄な省電力移行・復帰待ちを、ユーザにさせない画像記録装置を提供することを目的とする。【解決手段】省電力モード移行タイミング検出手段が省電力モード移行タイミングを検出すると、一定時間後までの復帰要因イベントのリストを取得する復帰要因イベントリスト取得手段と、上記復帰要因イベントリスト取得手段が取得したリスト中に、一定時間後までに実行することが予定されている復帰要因イベントが存在すれば、これらのイベントを前倒して実行する省電力モード移行処理手段と有する。【選択図】図２
2009083187.tif 000002
【特許請求の範囲】
【請求項１】
省電力モード移行タイミングであると判断するための予め決められたアイドル時間を検出する省電力モード移行タイミング検出手段と；
上記省電力モード移行タイミング検出手段が省電力モード移行タイミングを検出すると、一定時間後までの復帰要因イベントのリストを取得する復帰要因イベントリスト取得手段と；
上記復帰要因イベントリスト取得手段が取得したリスト中に、一定時間後までに実行することが予定されている復帰要因イベントが存在すれば、これらのイベントを前倒して実行する省電力モード移行処理手段と；
を有することを特徴とする画像記録装置。
【請求項２】
請求項１において、
上記省電力モード移行処理手段は、イベントの前倒し実行を行った後に、復帰要因イベントのリストから、実行したイベントを削除する手段であることを特徴とする画像記録装置。
【請求項３】
請求項１において、
上記復帰要因イベントリスト取得手段は、復帰要因イベントのリストを取得する際における一定時間後というイベント取得範囲を、日時、曜日、装置の使用頻度のうちの少なくとも１つの条件によって調整する手段であることを特徴とする画像記録装置。
【請求項４】
請求項１において、
上記復帰要因イベントリスト取得手段は、復帰要因イベントのリストを取得する際に使用するイベント検索時間と、イベントを前倒して実行する対象である前倒し対象範囲とを別に管理する手段であることを特徴とする画像記録装置。
【請求項５】
省電力モード移行タイミングであると判断するための予め決められたアイドル時間を検出する省電力モード移行タイミング検出工程と；
上記省電力モード移行タイミング検出工程で省電力モード移行タイミングを検出すると、一定時間後までの復帰要因イベントのリストを取得する復帰要因イベントリスト取得工程と；
上記復帰要因イベントリスト取得工程で取得されたリスト中に、一定時間後までに実行することが予定されている復帰要因イベントが存在すれば、これらのイベントを前倒して実行する省電力モード移行処理工程と；
を有することを特徴とする画像記録装置の制御方法。
【発明の詳細な説明】
【技術分野】
【０００１】
本発明は、省電力モードを備えている画像記録装置及び画像記録装置の制御方法に関する。
【背景技術】
【０００２】
近年では、画像記録装置についても省エネルギー化の要求が高まり、省電力モードを備えた画像記録装置が増えている。
【０００３】
省電力モードは、一定時間操作・利用が行われないと、装置の各種機能を限定し、この限定された機能のみを使用し、消費電力を低下させるモードである。省電力モードから、通常状態への復帰は、ユーザの操作や、装置を使った印刷等様々な要因がある。
【０００４】
省電力モードへの移行や、通常状態への復帰には、多少の違いはあれ、時間がかかるので、移行するまでの時間を短くし過ぎると、いざ利用する際に、省電力モードから復帰するための時間だけ、印刷を待つので、利用者に不便を強いる。
【０００５】
このために、画像記録装置が利用されている頻度に合わせて、移行までの時間を調整し、設定できる装置が多い。
【０００６】
また、より効率よく省電力モードに移行できるように、曜日や時間帯等に基づいて、設定時間を調整する方法が考えられている（たとえば、特許文献１参照）。
【０００７】
一方、一般的に、画像記録装置には、定期的に実行しなければならない保守動作が必要であることが多い。
【０００８】
たとえば、画像記録装置の１つであるインクジェットプリンタでは、インクを保持するインクタンク内のインクの均一性を保持するために、定期的にインクタンク内のインクを攪拌する動作が必要である。また、インクの吐出状態を均一に保つために、定期的に印字ヘッド表面を初期化する動作が必要である。
【０００９】
印刷の品質を保持するために必要な保守動作であって、上記定期的に実行すべき保守動作は、省電力モード中でも行う必要がある。
【００１０】
省電力中に、何かしらの保守動作を行うべき時刻・時期に到達した場合、省電力モードから復帰する等して、当該保守動作を行う方法がとられている。
【特許文献１】特開２００１−２７４９２８号公報（図４）
【発明の開示】
【発明が解決しようとする課題】
【００１１】
図７は、従来の画像記録装置ＰＲ１１において、省電力モードへの移行と復帰、及び、復帰イベントとの時間的関係を示す模式図である。
【００１２】
通常モード１１で動作中の装置は、省電力モード移行時刻１５が到達することによって、省電力モード１２に移行する。省電力モード１２は、具体的には、省電力モードへ移行するための移行処理１７と、省電力状態１８における処理と、省電力モードから復帰するための復帰処理１９とを有する。
【００１３】
省電力モードからの復帰処理１９は、復帰イベント時刻到達１６によって起動される。省電力モード１２から復帰すると、復帰要因である復帰イベント１３を実行する。復帰イベント１３の実行が完了すると、従来の画像記録装置ＰＲ１１は、通常モードで動作を継続する。
【００１４】
図８は、従来の画像記録装置ＰＲ１１において、復帰イベントとして３日タイマクリーニングを例にとり、省電力モードへの移行と復帰、及び、復帰イベントである３日タイマクリーニングとの時間的関係を示す模式図である。
【００１５】
従来の画像記録装置ＰＲ１１は、通常モード１１での動作中に、省電力モード移行時刻２５である１３：３２に到達すると、省電力モード１２に移行する。省電力モード１２は、省電力モードへ移行するための移行処理１７と、省電力状態１８における処理と、省電力モードから復帰するための復帰処理１９とから成る。３日タイマクリーニングを実施する時刻到達２６である１３：３４になると、省電力モード１２からの復帰処理が起動される。省電力モード１２から復帰すると、復帰要因である３日タイマクリーニング２３を実行する。この実行が完了した後に、画像記録装置ＰＲ１１は、通常モードで動作を継続する。
【００１６】
上記従来例では、保守動作の時期と、省電力モード１２への移行タイミングとは非同期である。したがって、上記従来例では、たとえば、省電力モード１２に入った直後に、保守動作時期が到達し、省電力モード１２から直ちに復帰する場合が発生し、省電力モード１２への無駄な移行によって、省電力の効率が下がるという問題がある。
【００１７】
また、上記従来例では、省電力モードへの無駄な移行によって、ユーザの利用と省電力モードへの移行とが重なる確率が増え、ユーザの利便性を損なうという問題がある。
【００１８】
本発明は、省電力モードへ移行した直後に復帰する無駄な省電力モードへの移行が減り、省電力効率を向上させることができ、また、無駄な省電力移行・復帰待ちを、ユーザにさせない画像記録装置を提供することを目的とする。
【課題を解決するための手段】
【００１９】
本発明は、省電力モードへ移行する際に、近々に予定されている保守動作をリストアップし、その中の１つまたは全ての保守動作を、前倒しして実行する画像記録装置である。
【発明の効果】
【００２０】
本発明によれば、省電力モードへ移行した直後に復帰する無駄な省電力モードへの移行が減り、省電力効率を向上させることができ、また、ユーザに無駄な省電力移行・復帰待ちをさせないという効果を奏する。
【発明を実施するための最良の形態】
【００２１】
発明を実施するための最良の形態は、次の実施例である。
【実施例１】
【００２２】
図１は、本発明の実施例１である画像記録装置ＰＲ１を簡略化して示すブロック図である。
【００２３】
画像記録装置ＰＲ１は、時間管理部６１と、印刷ジョブ受信部６２と、印刷ジョブ保持部６３と、印字シーケンス決定部６４と、画像記録装置制御部６５と、印字ヘッド６６と、ヘッドクリーニング機構６８と、保守動作管理部６９とを有する。
【００２４】
画像記録装置ＰＲ１は、ホストＰＣ５０に接続され、ホストＰＣ５０に存在するプリンタドライバ５１が生成した印刷ジョブを受信し、印刷する。ホストＰＣ５０から送られた印刷ジョブを、印刷ジョブ受信部６２が受信し、印刷ジョブ保持部６３に保持する。印刷ジョブ保持部６３に保持されている印刷ジョブは、印字シーケンス決定部６４が、画像記録機構の動作シーケンスを組み、印刷ジョブ中のデータを、シーケンスにあった印字データに加工する。
【００２５】
印字シーケンス決定部６４が作成したジョブ管理情報・印字シーケンス・印字データは、画像記録装置制御部６５に送られる。
【００２６】
画像記録装置制御部６５は、画像記録装置ＰＲ１の全体の状態管理、起動終了等を管理し、また、省電力モードへの移行処理についても管理する。
【００２７】
画像記録装置制御部６５は、受け取ったジョブ管理情報・印字シーケンス・印字データに従って、印字ヘッド６６を経由し、印字媒体６７に印刷する。
【００２８】
ヘッドクリーニング機構６８は、印字ヘッド６６をクリーニングする機構である。
【００２９】
ユーザによる画像記録装置ＰＲ１の操作や、ホストＰＣ５０からの指示を受けた画像記録装置制御部６５は、ヘッドクリーニング機構６８に、クリーニング動作を指示することによって、その時点の要求に応じたクリーニング動作を行う。また、ヘッドクリーニング機構６８は、保守動作管理部６９からの保守計画に従ったクリーニング動作指示によっても、ヘッドクリーニング動作を実行する。この保守計画に従った内部発生的なクリーニング動作を、便宜上「自動クリーニング」と呼ぶ。
【００３０】
保守動作管理部６９は、定期的に実行すべきヘッドクリーニング等の各種保守動作に関して、いつ、どのような保守動作を行うかをテーブルにした保守動作イベントリスト４０を保持している。保守動作管理部６９は、ヘッドクリーニング機構６８に対して、保守動作実行を指示することによって、印字ヘッド６６をクリーニングする。
【００３１】
時間管理部６１は、一定時間の経過を取得する機構、時刻を取得する機構等、時間に関して管理する。
【００３２】
画像記録装置制御部６５は、印刷ジョブの処理状況と、時間管理部６１から取得した時刻情報とに基づいて、画像記録装置ＰＲ１が、前倒し対象範囲Ｔ２（図６参照）、使われない状態であることを検出し、省電力モードへ移行する。移行処理に際して、画像記録装置制御部６５は、保守動作管理部６９から、イベント検索時間Ｔ１（図５参照）内に予定されている保守動作を、復帰要因イベントリストとして取得する。取得したイベントリストの内で、前倒し対象範囲Ｔ２内に予定されている保守動作を、「前倒しイベントリスト」として取得する。
【００３３】
画像記録装置制御部６５は、取得した前倒しイベントリストのイベントを、１つずつ前倒して実行した後に、画像記録装置ＰＲ１を、「省電力状態」へ移行させる。
【００３４】
画像記録装置制御部６５は、ユーザによる画像記録装置ＰＲ１の操作等、外的要因によって、画像記録装置ＰＲ１を「省電力状態」から、「通常状態」へ復帰させ、復帰の要因に応じて処理する。
【００３５】
つまり、時間管理部６１は、省電力モード移行タイミングであると判断するための予め決められたアイドル時間を検出する省電力モード移行タイミング検出手段の例である。
【００３６】
なお、上記「アイドル時間」は、データ処理・印字・メンテナンス等を行っていない状態が継続している時間である。また、上記「決められたアイドル時間」は、上記アイドル時間が、どれくらい継続されていたら、省電力に移行するかを判断するための閾値（時間）である。つまり、時間管理部６１の内部に、「決められたアイドル時間（たとえば１０分間）」が保存され、時間管理部６１は、上記「決められたアイドル時間」と、現在のプリンタの状態から判断した「アイドル時間」とを比較し、省電力移行タイミングを算出する。
【００３７】
図２に示すタイムチャートにおいて、「省電力モード移行時刻到達２５」の前に存在する「通常モード１１」は、正確には２つに分けられる。つまり、「通常モード：動作中」の後に、「通常モード：アイドル中」があり、この「通常モード：アイドル中」の長さ（時間）が、「決められたアイドル時間」である。
【００３８】
保守動作管理部６９は、上記省電力モード移行タイミング検出手段が省電力モード移行タイミングを検出すると、一定時間後までの復帰要因イベントのリストを取得する復帰要因イベントリスト取得手段の例である。
【００３９】
画像記録装置制御部６５は、上記復帰要因イベントリスト取得手段が取得したリスト中に、一定時間後までに実行することが予定されている復帰要因イベントが存在すれば、これらのイベントを前倒して実行する省電力モード移行処理手段の例である。
【００４０】
実施例１において、上記省電力モード移行処理手段は、イベントの前倒し実行を行った後に、復帰要因イベントのリストから、実行したイベントを削除する手段である。また、上記復帰要因イベントリスト取得手段は、復帰要因イベントのリストを取得する際における一定時間後というイベント取得範囲を、日時、曜日、装置の使用頻度のうちの少なくとも１つの条件によって調整する手段である。さらに、上記復帰要因イベントリスト取得手段は、復帰要因イベントのリストを取得する際に使用するイベント検索時間Ｔ１と、イベントを前倒して実行する対象である前倒し対象範囲とを別に管理する手段である。
【００４１】
図２は、画像記録装置ＰＲ１において、３日タイマクリーニングについて、省電力モードへの移行と復帰、復帰イベントである３日タイマクリーニングとの時間的関係を示す図である。
【００４２】
通常モード１１で動作中の画像記録装置ＰＲ１は、省電力モード移行時刻２５である１３：３２に到達すると、省電力モード３２に移行する。省電力モード３２への移行処理１７では、まず１５分間に、実行が予定されている復帰イベントを確認する。その結果、２分後に３日タイマクリーニングの予定があることを検出できるので、３日タイマクリーニング３３を前倒し、実行する。この実行が完了し、移行処理１７が完了すると、画像記録装置ＰＲ１は、省電力状態３８になる。
【００４３】
図８に示す従来例では、省電力モードに入ってから２分後に、３日タイマクリーニング時刻到達２６のために省電力モードから復帰しなければならない。ところが、実施例１では、２分後に実行する予定の保守動作を、省電力状態３８になる前に、前倒して実行する。そして、その後に、省電力状態３８になるので、省電力状態３８を継続することができ、省電力効率が向上し、また、移行・復帰処理中にユーザが遭遇し待たされることが減る。これによって、実施例１では、ユーザの利便性を向上することができる。
【００４４】
図３は、画像記録装置ＰＲ１において、保守動作の実行予定一覧が記録されている保守動作イベントリスト４０を示す図である。
【００４５】
保守動作イベントリスト４０には、今後実行される保守動作に関する実行予定時刻４２と、保守動作種別４３とが格納されている。
【００４６】
図４は、画像記録装置ＰＲ１の特徴的な処理である省電力モード移行処理を示すフローチャートである。
【００４７】
図４に示すフローチャートは、省電力モード移行タイミング検出手段としての時間管理部６１と、省電力モード移行処理手段としての画像記録装置制御部６５とが、省電力モードに移行するための移行処理手順である。
【００４８】
まず、Ｓ１で、画像記録装置制御部６５は、保守動作管理部６９が管理している保守動作イベントリスト４０から、イベント検索時間Ｔ１（図５参照）内に予定されている保守動作中の復帰要因イベントリストを取得する。
【００４９】
次に、Ｓ２では、Ｓ１で取得した復帰要因イベントリストから、前倒し対象範囲Ｔ２内に予定されているイベントを、前倒しイベントリストとして取得する。
【００５０】
Ｓ３では、Ｓ２で取得した前倒しイベントリストから、前倒し実行すべきイベントが存在するかどうかを調べる。この結果、前倒し実行すべきイベントが存在すれば、Ｓ４へ進み、存在しなければ、Ｓ８へ進む。
【００５１】
Ｓ４〜Ｓ７は、Ｓ２で取得した前倒しイベントリストから、保守イベントを１つずつ実行するループである。
【００５２】
Ｓ５で、対応するイベントを前倒して実行する。Ｓ６では、Ｓ５で前倒して実行したイベントを、保守動作イベントリスト４０から削除する。Ｓ７で、全ての前倒しイベントリストに登録されている保守イベントの実行が終了したかどうかを判断し、終了したら、Ｓ８へ進む。
【００５３】
Ｓ８では、省電力モード中で、使用しないデバイスの電源を落とす等、前倒し実行以外の省電力移行処理を行う。
【００５４】
以上で、省電力モードへの移行処理が完了し、画像記録装置ＰＲ１は、省電力状態になる。
【００５５】
図５は、画像記録装置ＰＲ１において、イベント検索時間Ｔ１を定義するイベント検索時間定義テーブル７０を示す図である。
【００５６】
イベント検索時間定義テーブル７０は、イベント検索時間Ｔ１を決定するための条件と時間とが定義されているテーブルである。条件１（曜日）７２には、曜日によって、イベント検索時間を変更するための曜日情報が書かれている。条件２（頻度）７３には、頻度によって、イベント検索時間を調整するための頻度条件と調整時間とが書かれている。
【００５７】
図６は、画像記録装置ＰＲ１の前倒し対象範囲を定義する前倒し対象範囲定義テーブル８０を示す図である。
【００５８】
前倒し対象範囲定義テーブル８０は、前倒し対象範囲Ｔ２を決定するための条件と時間とが定義されているテーブルである。条件１（曜日）８２には、曜日に応じて前倒し対象範囲を変更するための曜日情報が書かれている。条件２（頻度）８３には、頻度に応じて、前倒し対象範囲を調整するための頻度条件と調整時間とが書かれている。
【００５９】
また、上記実施例を方法の発明として把握することができる。つまり、上記実施例は、省電力モード移行タイミングであると判断するための予め決められたアイドル時間を検出する省電力モード移行タイミング検出工程を有する。また、上記実施例は、上記省電力モード移行タイミング検出工程で省電力モード移行タイミングを検出すると、一定時間後までの復帰要因イベントのリストを取得する復帰要因イベントリスト取得工程を有する。さらに、上記実施例は、上記復帰要因イベントリスト取得工程で取得されたリスト中に、一定時間後までに実行することが予定されている復帰要因イベントが存在すれば、これらのイベントを前倒して実行する省電力モード移行処理工程を有する。
【図面の簡単な説明】
【００６０】
【図１】本発明の実施例１である画像記録装置ＰＲ１を簡略化して示すブロック図である。
【図２】画像記録装置ＰＲ１において、３日タイマクリーニングについて、省電力モードへの移行と復帰、復帰イベントである３日タイマクリーニングとの時間的関係を示す図である。
【図３】画像記録装置ＰＲ１において、保守動作の実行予定一覧が記録されている保守動作イベントリスト４０を示す図である。
【図４】画像記録装置ＰＲ１の特徴的な処理である省電力モード移行処理を示すフローチャートである。
【図５】画像記録装置ＰＲ１において、イベント検索時間Ｔ１を定義するイベント検索時間定義テーブル７０を示す図である。
【図６】画像記録装置ＰＲ１の前倒し対象範囲を定義する前倒し対象範囲定義テーブル８０を示す図である。
【図７】従来の画像記録装置ＰＲ１１において、省電力モードへの移行と復帰、及び、復帰イベントとの時間的関係を示す模式図である。
【図８】従来の画像記録装置ＰＲ１１において、復帰イベントとして３日タイマクリーニングを例にとり、省電力モードへの移行と復帰、及び、復帰イベントである３日タイマクリーニングとの時間的関係を示す模式図である。
【符号の説明】
【００６１】
ＰＲ１…画像記録装置、
１１…通常モード（省電力モード移行前）、
１７…移行処理、
２５…省電力モード移行時刻到達、
２６…３日タイマクリーニング時刻到達、
３２…省電力モード、
３３…３日タイマクリーニング実行、
３８…省電力状態、
４０…保守動作イベントリスト、
４２…実行予定時刻、
４３…保守動作種別、
５１…プリンタドライバ、
６１…時間管理部、
６２…印刷ジョブ受信部、
６３…印刷ジョブ保持部、
６４…印字シーケンス決定部、
６５…画像記録装置制御部、
６６…印字ヘッド、
６７…印字媒体、
６８…ヘッドクリーニング機構、
６９…保守動作管理部、
７０…イベント検索時間定義テーブル、
７２…条件１（曜日）、
７３…条件２（頻度）、
８０…前倒し対象範囲を定義する前倒し対象範囲定義テーブル、
８２…条件１（曜日）、
８３…条件２（頻度）。
【図１】
2009083187.tif 000003
【図２】
2009083187.tif 000004
【図３】
2009083187.tif 000005
【図４】
2009083187.tif 000006
【図５】
2009083187.tif 000007
【図６】
2009083187.tif 000008
【図７】
2009083187.tif 000009
【図８】
2009083187.tif 000010